(57)【特許請求の範囲】
【請求項１】
遊技店内に設置される管理装置に通信可能に接続されて、遊技用記憶媒体に基づいて遊技機の遊技に使用される遊技媒体を貸し出すとともに、当該遊技用記憶媒体を発行可能な遊技媒体貸出装置であって、
前記遊技媒体貸出装置の制御を司る制御基板であって、前記遊技用記憶媒体の発行量に関するデータおよび前記遊技用記憶媒体の使用量に関するデータを保持するとともに、これらのデータを前記管理装置に対して送信可能な制御基板と、
当該遊技媒体貸出装置のメンテナンス履歴に関するデータを記憶するメンテナンスデータ記憶部、ならびに前記メンテナンスデータ記憶部に対する前記メンテナンス履歴に関するデータの読出しおよび書込みのためのＲＦＩＤによる無線データ通信を、所定のデータ読出／書込装置との間で行う無線データ通信手段を有するデータ記憶装置とを含み、
前記メンテナンスデータ記憶部はデータ書換および追記可能なメモリを含み、当該メンテナンスデータ記憶部には、所定の第１コードおよび所定の第２コードが保持されており、
前記遊技媒体貸出装置は、
前記データ読出／書込装置から前記無線データ通信手段が受信したデータに含まれる所定の第１照合コードと、前記メンテナンスデータ記憶部に保持されている前記第１コードとを照合する第１照合手段と、
前記第１照合手段による前記第１照合コードと前記第１コードとの照合結果に基づいて、前記データ読出／書込装置による前記メンテナンスデータ記憶部に対する前記メンテナンス履歴に関するデータの読出しを許可する手段と、
前記データ読出／書込装置から前記無線データ通信手段が受信したデータに含まれる所定の第２照合コードと、前記メンテナンスデータ記憶部に保持されている前記第２コードとを照合する第２照合手段と、
前記第１照合手段および前記第２照合手段の照合結果に基づいて、前記データ読出／書込装置による前記メンテナンスデータ記憶部に対する前記メンテナンス履歴に関するデータの書込みを許可する手段とをさらに含むことを特徴とする遊技媒体貸出装置。
【請求項２】
ケース体および当該ケース体の開口を閉塞するためのケース蓋を有し、前記制御基板を内部に収容する基板ケースをさらに含み、
前記基板ケースは、少なくとも前記メンテナンスデータ記憶部を被覆するものであり、
前記ケース体および前記ケース体には、剥離痕跡を残すための封印シールが跨って貼り付けられていることを特徴とする請求項１記載の遊技媒体貸出装置。
【請求項３】
前記メンテナンスデータ記憶部が、データ書換および追記可能な追記可能型のメモリと、追記不能な追記不能型のメモリとが組み合わされて構成されていることを特徴とする請求項1または２記載の遊技媒体貸出装置。
【請求項４】
遊技用記憶媒体に基づいて遊技機の遊技に使用される遊技媒体を貸し出すとともに、当該遊技用記憶媒体を発行可能な遊技媒体貸出装置と、所定のデータ読出／書込装置とを含み、前記データ読出／書込装置を用いて前記遊技媒体貸出装置をメンテナンスするためのメンテナンスシステムであって、
前記遊技媒体貸出装置は、
前記遊技媒体貸出装置の制御を司る制御基板であって、前記遊技用記憶媒体の発行量に関するデータおよび前記遊技用記憶媒体の使用量に関するデータを保持するとともに、これらのデータを前記管理装置に対して送信可能な制御基板と、
当該遊技媒体貸出装置のメンテナンス履歴に関するデータを記憶するメンテナンスデータ記憶部、ならびに前記メンテナンスデータ記憶部に対する前記メンテナンス履歴に関するデータの読出しおよび書込みのためのＲＦＩＤによる無線データ通信を、前記データ読出／書込装置との間で行う無線データ通信手段を有するデータ記憶装置とを含み、
前記メンテナンスデータ記憶部はデータ書換および追記可能なメモリを含み、当該メンテナンスデータ記憶部には、所定の第１コード、所定の第２コードおよび所定の第３コードが保持されており、
前記データ読出／書込装置は、所定の第１照合コード、所定の第２照合コードおよび所定の第３照合コードを記憶するコード記憶部を備えており、
前記データ読出／書込装置は、前記データ記憶装置に対して前記第１照合コードを含むデータを送信する手段を有し、
前記遊技媒体貸出装置は、
前記データ読出／書込装置から前記無線データ通信手段が受信したデータに含まれる前記第１照合コードと、前記メンテナンスデータ記憶部に保持されている前記第１コードとを照合する第１照合手段と、
前記第１照合手段による前記第１照合コードと前記第１コードとの照合の結果に基づいて、前記メンテナンスデータ記憶部に保持されている前記第２コードを読み出して、この第２コードを含むデータを、前記無線データ通信手段を介して前記データ読出／書込装置に向けて送信する手段とをさらに含み、
前記データ読出／書込装置は、
前記遊技媒体貸出装置から受信したデータに含まれる前記第２コードと、前記データ読出／書込装置に保持されている前記第２照合コードとを照合する第２照合手段と、
前記第２照合手段による前記第２コードとの照合結果に基づいて、前記メンテナンスデータ記憶部に対する前記メンテナンス履歴に関するデータの読出しを許可する手段と、
前記第２照合手段による前記第２コードと前記第２照合コードとの照合結果に基づいて、前記コード記憶部に保持されている前記第３照合コードを読み出して、この第３照合コードを含むデータを、前記データ記憶装置に向けて送信する手段とをさらに含み、
前記遊技媒体貸出装置は、
前記データ読出／書込装置から前記無線データ通信手段が受信したデータに含まれる前記第３照合コードと、前記メンテナンスデータ記憶部に保持されている前記第３コードとを照合する第３照合手段と、
前記第３照合手段による前記第３照合コードと前記第３コードとの照合結果に基づいて、前記メンテナンスデータ記憶部に対する前記メンテナンス履歴に関するデータの書込みを許可する手段とをさらに含むことを特徴とするメンテナンスシステム。
【発明の詳細な説明】
【０００１】
【発明の属する技術分野】
この発明は、遊技媒体貸出装置、およびこの遊技媒体貸出装置をメンテナンスするためのメンテナンスシステムに関する。
【０００２】
【従来の技術】
最近、パチスロホールやパチンコホールなどの遊技店（遊技場）において、遊技者が金銭と等価な有価価値データの記録された遊技カードを購入し、この購入した遊技カードを遊技機に隣接して配置された台間機に挿入して、その遊技カードに記録された有価価値の範囲内でメダルやパチンコ球などの遊技媒体の貸出しを受けて遊技を行うカード式遊技システムが普及しつつある。
【０００３】
このようなカード式遊技システムでは、遊技店における遊技カードの販売量または使用量に応じたシステム利用料を、カード式システムを管理しているシステム管理会社が遊技店から徴収するようになっている。具体的に説明すると、カード式遊技システムを採用している遊技店には、システム管理会社と電話回線などを介して接続された管理装置が設置されている。管理装置には、カード販売機や台間機がデータ通信可能に接続されており、これらのカード販売機や台間機における遊技カードの販売量や使用量のデータを収集できるようになっている。そして、システム管理会社から管理装置にシステム利用状況の問い合わせがあると、管理装置に収集されたカード販売量やカード使用量のデータが管理装置からシステム管理会社に返信されるようになっており、システム管理会社は、管理装置から返信されてきたカード販売量やカード使用量のデータに基づいて、遊技カードの販売量または使用量に応じたシステム利用料を遊技店から徴収する。
【０００４】
したがって、システム管理会社に遊技カードの販売量や使用量が過少に報告されるように、管理装置やカード販売機、台間機の制御基板が不正改造されたり、不正交換されたりすると、システム管理会社は大きな損害を被ってしまう。そこで、このような不正行為を防止するため、システム管理会社と遊技店との間において、システム管理会社から派遣された作業員のみが、遊技店に設置されている管理装置、カード販売機および台間機のメンテナンスを行うことができると取り決められている。
【０００５】
【発明が解決しようとする課題】
ところで、遊技店に設置されている管理装置やカード販売機、台間機のメンテナンスを行う場合、システム管理会社から派遣された作業員は、メンテナンス対象の装置に適切な処置を施すために、その装置の修理履歴やバージョンなどのメンテナンス履歴を把握しておく必要がある。しかしながら、このメンテナンス履歴を調べることは、メンテナンスを行う作業員にとって面倒なことであった。
【０００６】
この発明は、上述のような背景の下になされたものであり、遊技媒体貸出装置（台間機）のメンテナンスに要する手間を削減することを目的としている。
【０００７】
【課題を解決するための手段および発明の効果】
前記の目的を達成するための請求項１記載の発明は、遊技店内に設置される管理装置に通信可能に接続されて、遊技用記憶媒体に基づいて遊技機の遊技に使用される遊技媒体を貸し出すとともに、当該遊技用記憶媒体を発行可能な遊技媒体貸出装置であって、前記遊技媒体貸出装置の制御を司る制御基板であって、前記遊技用記憶媒体の発行量に関するデータおよび前記遊技用記憶媒体の使用量に関するデータを保持するとともに、これらのデータを前記管理装置に対して送信可能な制御基板と、当該遊技媒体貸出装置のメンテナンス履歴に関するデータを記憶するメンテナンスデータ記憶部、ならびに前記メンテナンスデータ記憶部に対する前記メンテナンス履歴に関するデータの読出しおよび書込みのためのＲＦＩＤによる無線データ通信を、所定のデータ読出／書込装置との間で行う無線データ通信手段を有するデータ記憶装置とを含み、前記メンテナンスデータ記憶部はデータ書換および追記可能なメモリを含み、当該メンテナンスデータ記憶部には、所定の第１コードおよび所定の第２コードが保持されており、前記遊技媒体貸出装置は、前記データ読出／書込装置から前記無線データ通信手段が受信したデータに含まれる所定の第１照合コードと、前記メンテナンスデータ記憶部に保持されている前記第１コードとを照合する第１照合手段と、前記第１照合手段による前記第１照合コードと前記第１コードとの照合結果に基づいて、前記データ読出／書込装置による前記メンテナンスデータ記憶部に対する前記メンテナンス履歴に関するデータの読出しを許可する手段と、前記データ読出／書込装置から前記無線データ通信手段が受信したデータに含まれる所定の第２照合コードと、前記メンテナンスデータ記憶部に保持されている前記第２コードとを照合する第２照合手段と、前記第１照合手段および前記第２照合手段の照合結果に基づいて、前記データ読出／書込装置による前記メンテナンスデータ記憶部に対する前記メンテナンス履歴に関するデータの書込みを許可する手段とをさらに含むことを特徴とする遊技媒体貸出装置である。
【０００９】
この発明によれば、メンテナンスデータ記憶部に遊技媒体貸出装置のメンテナンス履歴に関するデータ（メンテナンスデータ）が記憶されているので、遊技媒体貸出装置のメンテナンスを行う作業員は、メンテナンスデータ記憶部からメンテナンスデータを読み出すことにより、その遊技媒体貸出装置のメンテナンス履歴を速やかに取得することができ、その取得したメンテナンス履歴に応じた適切な処置を遊技媒体貸出装置に施すことができる。
また、メンテナンスデータ記憶部に対するデータの読出しおよび書込みを無線データ通信により達成することができるので、メンテナンスデータ記憶部からメンテナンスデータを読み出したり、メンテナンスデータ記憶部にメンテナンスデータを書き込んだりするために、データ記憶装置を遊技媒体貸出装置から外す必要がない。ゆえに、メンテナンスに要する手間を削減することができる。
また、メンテナンスデータが不正に読み出されたり、改竄されたりすることを良好に防止できる。
【００１０】
なお、請求項２に記載のように、ケース体および当該ケース体の開口を閉塞するためのケース蓋を有し、前記制御基板を内部に収容する基板ケースをさらに含み、前記基板ケースは、少なくとも前記メンテナンスデータ記憶部を被覆するものであり、前記ケース体および前記ケース体には、剥離痕跡を残すための封印シールが跨って貼り付けられていることが好ましい。この場合、制御基板の不正改造や、交換を容易に発見することができる。そして、メンテナンスデータ記憶部に対するデータの読出しが無線データ通信により行われるので、基板ケースに跨って貼られている封印シールを剥がす必要がない。
【００１１】
また、請求項３に記載のように、前記メンテナンスデータ記憶部が、データ書換および追記可能な追記可能型のメモリと、追記不能な追記不能型のメモリとが組み合わされて構成されていてもよい。
【００１２】
さらにまた、請求項４記載の発明は、遊技用記憶媒体に基づいて遊技機の遊技に使用される遊技媒体を貸し出すとともに、当該遊技用記憶媒体を発行可能な遊技媒体貸出装置と、所定のデータ読出／書込装置とを含み、前記データ読出／書込装置を用いて前記遊技媒体貸出装置をメンテナンスするためのメンテナンスシステムであって、前記遊技媒体貸出装置は、前記遊技媒体貸出装置の制御を司る制御基板であって、前記遊技用記憶媒体の発行量に関するデータおよび前記遊技用記憶媒体の使用量に関するデータを保持するとともに、これらのデータを前記管理装置に対して送信可能な制御基板と、当該遊技媒体貸出装置のメンテナンス履歴に関するデータを記憶するメンテナンスデータ記憶部、ならびに前記メンテナンスデータ記憶部に対する前記メンテナンス履歴に関するデータの読出しおよび書込みのためのＲＦＩＤによる無線データ通信を、前記データ読出／書込装置との間で行う無線データ通信手段を有するデータ記憶装置とを含み、前記メンテナンスデータ記憶部はデータ書換および追記可能なメモリを含み、当該メンテナンスデータ記憶部には、所定の第１コード、所定の第２コードおよび所定の第３コードが保持されており、前記データ読出／書込装置は、所定の第１照合コード、所定の第２照合コードおよび所定の第３照合コードを記憶するコード記憶部を備えており、前記データ読出／書込装置は、前記データ記憶装置に対して前記第１照合コードを含むデータを送信する手段を有し、前記遊技媒体貸出装置は、前記データ読出／書込装置から前記無線データ通信手段が受信したデータに含まれる前記第１照合コードと、前記メンテナンスデータ記憶部に保持されている前記第１コードとを照合する第１照合手段と、前記第１照合手段による前記第１照合コードと前記第１コードとの照合の結果に基づいて、前記メンテナンスデータ記憶部に保持されている前記第２コードを読み出して、この第２コードを含むデータを、前記無線データ通信手段を介して前記データ読出／書込装置に向けて送信する手段とをさらに含み、前記データ読出／書込装置は、前記遊技媒体貸出装置から受信したデータに含まれる前記第２コードと、前記データ読出／書込装置に保持されている前記第２照合コードとを照合する第２照合手段と、前記第２照合手段による前記第２コードとの照合結果に基づいて、前記メンテナンスデータ記憶部に対する前記メンテナンス履歴に関するデータの読出しを許可する手段と、前記第２照合手段による前記第２コードと前記第２照合コードとの照合結果に基づいて、前記コード記憶部に保持されている前記第３照合コードを読み出して、この第３照合コードを含むデータを、前記データ記憶装置に向けて送信する手段とをさらに含み、前記遊技媒体貸出装置は、前記データ読出／書込装置から前記無線データ通信手段が受信したデータに含まれる前記第３照合コードと、前記メンテナンスデータ記憶部に保持されている前記第３コードとを照合する第３照合手段と、前記第３照合手段による前記第３照合コードと前記第３コードとの照合結果に基づいて、前記メンテナンスデータ記憶部に対する前記メンテナンス履歴に関するデータの書込みを許可する手段とをさらに含むことを特徴とするメンテナンスシステムである。
請求項４記載の発明によれは、メンテナンスデータが不正に読み出されたり、改竄されたりすることを良好に防止できる。
【００１４】
【発明の実施の形態】
以下では、この発明の実施の形態を、添付図面を参照して詳細に説明する。
図１は、この発明の一実施形態に係るカード式遊技システムの構成を示すブロック図である。このカード式遊技システムは、パチンコホールやパチスロホールなどの遊技店において、金銭と等価な有価価値のデータが記録された遊技カードを購入し、その購入した遊技カードを使用して遊技媒体（パチンコ球またはパチスロメダル）の貸出しを受けるようにしたシステムであり、パチンコホールやパチスロホールなどの遊技店に設置された遊技関連機器およびシステム管理会社に設置されたセンタ装置Ｃで構成されている。
【００１５】
遊技店に設置された遊技関連機器は、たとえば、パチンコ機やパチスロ機などの遊技機１と、遊技カード（遊技用記憶媒体）を受け付けて、その遊技カードに記録されている有価価値の範囲内で遊技媒体を貸し出す遊技媒体貸出装置としての台間機２と、投入金額に相当する有価価値を記録した遊技カードを発行（販売）するカード販売機３と、遊技カードに記録されている有価価値の残高を精算して、その残高に相当する金額の貨幣を払い戻すカード精算機４と、これらの台間機２、カード販売機３およびカード精算機４の稼動状態を管理するための管理装置５とを含む。管理装置５は、たとえば公衆電話回線などの通信回線Ｌを介して、システム管理会社のセンタ装置Ｃとデータ通信可能に接続されている。
【００１６】
遊技機１および台間機２は、遊技店内において、一対一に対応づけられて交互に並べて配列されることにより遊技機島を構成している。遊技機１とこの遊技機１に対応づけられた台間機２とは、ケーブル６によってデータ通信可能に接続されている。また、遊技機島ごとに中継装置７が設けられていて、この中継装置７に通信ラインＤＬ１を介して台間機２が接続され、かつ、中継装置７が通信ラインＤＬ２を介して管理装置５に接続されることにより、各台間機２と管理装置５とがデータ通信可能に接続されている。
【００１７】
通信ラインＤＬ２にはまた、カード販売機３およびカード精算機４が接続されている。これにより、台間機２、カード販売機３およびカード精算機４から遊技カードに関するデータを管理装置５に送信することができ、さらに、この管理装置５において、その遊技店における遊技カードの使用量や販売量などのデータを一括して管理できるようになっている。そして、このカード式遊技システムでは、システム管理会社のセンタ装置Ｃから通信回線Ｌを介して管理装置５にシステム利用状況の問い合わせがあると、管理装置５で管理されているカード使用量やカード販売量のデータが、管理装置５から通信回線Ｌを介してセンタ装置Ｃに返信されるようになっている。
【００１８】
図２は、遊技機１およびこれに対応づけられた台間機２の制御回路の構成を示すブロック図である。なお、以下では、遊技機１の一例としてパチンコ機を取り上げて説明する。
パチンコ機１には、パチンコ機１における遊技に関する各部を制御するための主制御基板１１と、パチンコ球を機内から払い出すパチンコ球払出装置１２を制御するためのパチンコ球払出装置基板１３と、パチンコ球の貸出しに関する各部を制御するための貸出基板１４と、台間機２との通信を制御するためのインタフェイス基板１５とが備えられている。インタフェイス基板１５には、主制御基板１１、パチンコ球払出装置基板１３および貸出基板１４が接続されている。
【００１９】
一方、台間機２には、制御中枢としてのＣＰＵや制御プログラムを記憶したメモリなどを含む台間機制御基板２１が備えられている。この台間機制御基板２１は、ケーブル６を介してパチンコ機１のインタフェイス基板１５に接続されていて、これにより、台間機制御基板２１と主制御基板１１、パチンコ球払出装置基板１３および貸出基板１４との間で、インタフェイス基板１５を介して信号の送受ができるようになっている。
【００２０】
台間機制御基板２１は、パチンコ球を貸し出す機能（遊技媒体貸出機能）を達成するために、パチンコ機１の主制御基板１１、パチンコ球払出装置基板１３および貸出基板１４との間で信号の送受を行い、遊技カードの挿入および排出に関するカード挿入／排出部２２の各部を制御する。
具体的には、台間機制御基板２１は、パチンコ球の貸出しを指示するためのパチンコ球貸出ボタン１６や、台間機２内に挿入された遊技カードの返却を指示するためのカード返却ボタン１７の操作などに応答して貸出基板１４から出力される信号を受け取る。そして、この貸出基板１４からの信号などに基づいて、パチンコ球の貸出しが可能であるか否かを表すための貸出可否表示ランプ１８や、および遊技カードに記録されている有価価値の残高を表示するためのカード残高表示部１９を制御するための信号を貸出基板１４に与える。また、パチンコ球払出装置１２を制御するための信号をパチンコ球払出装置基板１３に与える。さらに、台間機２内に遊技カードを挿入可能であるか否かを表すためのカード挿入可否表示ランプ２３や、台間機２内に遊技カードが挿入されていることを表すためのカード挿入中ランプ２４の点灯制御を行う。
【００２１】
また、この実施形態において、台間機２は、図示しない貨幣投入口から投入された貨幣の金額に応じた遊技カードを販売（発行）する機能も有している。この遊技カード販売機能を達成するため、台間機制御基板２１には、台間機２内に貨幣を投入できるか否かを表すための貨幣投入可否表示ランプ２６や、台間機２内に貨幣が投入されていることを表すための貨幣投入中ランプ２７などを含む貨幣投入部２５が接続されている。
【００２２】
貨幣投入可否表示ランプ２６は、たとえば、上記貨幣投入口から台間機２内に貨幣を投入可能なときに点灯される。貨幣投入可否表示ランプ２６の点灯中に貨幣が投入されると、貨幣投入中ランプ２７が点灯され、その投入された貨幣の種別が判別される。そして、その貨幣の金額に相当する有価価値のデータが記録された遊技カードが発行され、この発行された遊技カードが、台間機２に設けられたカード挿入／排出口（図示せず）から排出される。
【００２３】
台間機制御基板２１には、通信ラインＤＬ１が接続されており、上述のようにして遊技カードが発行されると、その発行された遊技カードのデータ（たとえば、遊技カードに固有のＩＤ番号（識別番号）データ、遊技カードの額面データ、発行日時や発行店などのデータ）が台間機制御基板２１から管理装置５（図１参照）に送信される。管理装置５は、こうして台間機制御基板２１などから受信した遊技カードのデータに基づいて、その遊技店における遊技カードの使用量や販売量を集計して管理する。
【００２４】
カード式遊技システムでは、上記したように、システム管理会社のセンタ装置Ｃから通信回線Ｌを介して管理装置５にシステム利用状況の問い合わせがあると、管理装置５で管理されているカード使用量やカード販売量のデータが、管理装置５から通信回線Ｌを介してセンタ装置Ｃに返信される。そして、システム管理会社は、管理装置５から返信されてきたカード販売量やカード使用量のデータに基づいて、遊技カードの販売量または使用量に応じたシステム利用料を遊技店から徴収する。したがって、システム管理会社に遊技カードの販売量や使用量が過少に報告されるように、台間機２の台間機制御基板２１などが不正改造・交換されると、システム管理会社は大きな損害を被ってしまう。
【００２５】
そこで、この実施形態では、台間機制御基板２１の不正改造・交換を容易に発見するために、ケース本体とケース蓋とからなる基板ケース２８内に台間機制御基板２１が収容されており、ケース本体とケース蓋とには、剥離痕跡を残すことができる封印シールが跨って貼り付けられている。また、この実施形態では、台間機２のメンテナンスに要する手間を削減するために、その台間機２のメンテナンス履歴に関するデータ（以下、「メンテナンスデータ」という。）を記憶させておくことができるＲＦＩＤ(Radio Frequency Identification)メモリ（データ記憶装置）８が台間機制御基板２１に配置されている。ＲＦＩＤメモリ８は、専用のＲＦＩＤリーダ／ライタ（データ読出／書込装置）９との間で無線によるデータの送受信を行うことができ、ＲＦＩＤメモリ８とＲＦＩＤリーダ／ライタ９との間でセキュリティコードを交信して、ＲＦＩＤメモリ８が正規のものであると判別された場合にのみ、ＲＦＩＤリーダ／ライタ９によりメンテナンスデータの読出しおよび書込みを行うことができるようになっている。したがって、ＲＦＩＤメモリ８とＲＦＩＤリーダ／ライタ９との間でデータ交信を行うことによっても、台間機制御基板２１が正規のものであるか否かを判別でき、台間機制御基板２１の不正改造・交換をより確実に発見することができる。
【００２６】
図３は、ＲＦＩＤメモリ８の台間機制御基板２１への取付状態を示す断面図であり、図４は、ＲＦＩＤメモリ８の平面図である。ＲＦＩＤメモリ８は、図３に示すように、台間機制御基板２１上に配置されて、その表面がエポキシ樹脂などの合成樹脂で被覆されることにより固定されている。
ＲＦＩＤメモリ８は、ＩＣチップ８１および送受信アンテナ８２で構成されている。ＩＣチップ８１は、図２に示すＲＦＩＤリーダ／ライタ９との間におけるデータの送受信を制御する機能、およびＲＦＩＤリーダ／ライタ９により書き込まれるメンテナンスデータを記憶する機能を有する集積回路チップである。送受信アンテナ８２は、図４に示すように、たとえば銅からなる金属膜をコイル状に形成したループアンテナであり、そのループ内に両端８２ａ，８２ｂが引き出されてＩＣチップ８１に接続されている。
【００２７】
なお、この実施形態では、ＲＦＩＤメモリ８は、台間機制御基板２１上に配置されているとしたが、たとえば、台間機制御基板２１に埋設されていてもよいし、台間機制御基板２１上に実装された部品に埋め込まれていてもよい。また、台間機制御基板２１を収容する基板ケース２８（図２参照）の内面または外面に配置されていてもよいし、基板ケース２８に埋設されていてもよい。
【００２８】
図５は、ＲＦＩＤメモリ８の電気的な構成を示すブロック図である。ＲＦＩＤメモリ８のＩＣチップ８１には、送受信アンテナ８２で受信された変調波（受信波）を復調するための復調部８１１が備えられている。復調部８１１には、周波数発振部８１２から周波数ｆ１の基準位相信号が与えられており、復調部８１１は、送受信アンテナ８２で受波からの変調波と周波数発振部８１２からの基準位相信号とを比較して、受信した変調波に含まれている信号成分を取り出す。こうして取り出された信号成分は、フィルタ８１３で予め定める周波数帯域以外の周波数成分が除去された後、Ａ／Ｄ変換部８１４に与えられてディジタルデータ（受信データ）に変換される。
【００２９】
Ａ／Ｄ変換部８１４によるＡ／Ｄ変換後の受信データは、たとえばマイクロプロセッサからなる信号処理部８１５に与えられる。この信号処理部８１５には、たとえばフラッシュメモリなどのデータ書換および追記可能なメモリからなる情報記憶部（メンテナンスデータ記憶部）８１６が接続されている。この情報記憶部８１６には、第１セキュリティコード（第１コード）、第２セキュリティコード（第２コード）、第３セキュリティコード（第２コード、第３コード）および第４セキュリティコードが格納されている。また、情報記憶部８１６には、たとえば、このＲＦＩＤメモリ８が備えられた台間機２の工場出荷時に、この台間機２に備えられた台間機制御基板２１に関するデータ（たとえば、台間機制御基板２１の製造番号や製造年月日など）がメンテナンスデータとして書き込まれている。さらには、台間機２が遊技店に納入されて設置された際に、システム管理会社から派遣された作業員により、台間機２の納入に関するデータ（たとえば、台間機２の納入設置状況、納入日時、納入作業事項および作業員（担当者）コードなど）がメンテナンスデータとして追記されている。
【００３０】
信号処理部（第１照合手段、第２照合手段、第３照合手段）８１５は、Ａ／Ｄ変換部８１４から受信データが与えられると、情報記憶部８１６から第１セキュリティコードまたは第３セキュリティコードを読み出して、その読み出した第１セキュリティコードまたは第３セキュリティコードと受信データとが一致するか否かを判別したり、情報記憶部８１６から第２セキュリティコード、第４セキュリティコードまたはメンテナンスデータなどを読み出して、その読み出したデータを変調部８１７に与える。
【００３１】
変調部８１７には、周波数発振部８１８から所定周波数ｆ２の搬送波が与えられている。変調部８１７は、この周波数ｆ２の搬送波を信号処理部８１５から与えられるデータによりＢＰＳＫ（Binary Phase Shift Keying ：２進位相変調）方式で変調して変調波を作成し、その作成した変調波を送信部８１９に与える。送信部８１９に与えられた変調波は、送信部８１９で適度に増幅された後、送受信アンテナ８２からＲＦＩＤリーダ／ライタ９（図２参照）に向けて送出される。
【００３２】
上述のようなＩＣチップ８１の各部の動作は、送受信アンテナ８２で受信した電波から作成された電力を利用して行われる。すなわち、送受信アンテナ８２には、同調用コイルを含む共振回路（図示せず）が備えられており、送受信アンテナ８２が電波を受信すると、その受信波によって同調用コイルを貫く磁束が変化して、上記共振回路に交流電圧が発生する。そして、この発生した交流電圧は、ＩＣチップ８１に備えられたＡＣ／ＤＣコンバータ８２１で直流電圧に変換された後、レギュレータ８２２で一定電圧以下に（たとえば５ボルト以下）に降圧されて、信号処理部８１５などの各部に動作電圧として与えられる。したがって、台間機２に電源が投入されていない状態でも、ＲＦＩＤメモリ８とＲＦＩＤリーダ／ライタ９との間でデータの送受信を行うことができる。
【００３３】
図６は、ＲＦＩＤリーダ／ライタ９の電気的な構成を示すブロック図である。ＲＦＩＤリーダ／ライタ９には、たとえばマイクロプロセッサからなる信号処理部（第２照合手段）９１１が備えられている。この信号処理部９１１には、たとえばＲＯＭからなる情報記憶部（コード記憶部）９１２が接続されている。この情報記憶部９１２には、アクセスコード（第１照合コード）、照合コード（第２照合コード）、リードコマンドコード、ライトコマンドコード（第２照合コード、第３照合コード）およびライト完了コードが格納されている。
【００３４】
アクセスコードは、ＲＦＩＤメモリ８の情報記憶部８１６（図５参照）に格納されている第１セキュリティコードと同一のコードであり、ＲＦＩＤリーダ／ライタ９がＲＦＩＤメモリ８にアクセスする際に、信号処理部９１１により情報記憶部９１２から読み出されて変調部９１３に与えられる。
照合コードは、ＲＦＩＤメモリ８の情報記憶部８１６に格納されている第２セキュリティコードと同一のコードであり、ＲＦＩＤメモリ８が正規のものであるか否かを判別するために、信号処理部９１１によって情報記憶部９１２から読み出されて使用される。
【００３５】
リードコマンドコードは、ＲＦＩＤメモリ８に対してメンテナンスデータの送信を要求する際に、信号処理部９１１により情報記憶部９１２から読み出されて変調部９１３に与えられる。
ライトコマンドコードは、ＲＦＩＤメモリ８の情報記憶部８１６に格納されている第３セキュリティコードと同一のコードであり、ＲＦＩＤメモリ８へのメンテナンスデータの書込みを行う際に、信号処理部９１１により情報記憶部９１２から読み出されて変調部９１３に与えられる。
【００３６】
ライト完了コードは、ＲＦＩＤメモリ８の情報記憶部８１６に格納されている第４セキュリティコードと同一のコードであり、ＲＦＩＤメモリ８へのメンテナンスデータの書込みが完了したか否かを判別するために、信号処理部９１１によって情報記憶部９１２から読み出されて使用される。
また、信号処理部９１１には、ＲＦＩＤリーダ／ライタ９の表面に配置されたテンキーやファンクションキーなどの入力キー９２が接続されている。入力キー９２は、ＲＦＩＤメモリ８に書き込むべきメンテナンスデータを入力する際に操作されるものであり、この入力キー９２の操作により入力されたメンテナンスデータは、情報記憶部９１２から読み出されたライトコマンドコードとともに変調部９１３に与えられる。
【００３７】
変調部９１３には、周波数発振部９１４から周波数ｆ１の搬送波が与えられており、変調部９１３は、この周波数ｆ１の搬送波を信号処理部９１１から与えられるデータによってＢＰＳＫ方式で変調して変調波を作成し、その作成した変調波を送信部９１５に与える。送信部９１５に与えられた変調波は、この送信部９１５で適度に増幅された後、送受信アンテナ９３から送出される。
【００３８】
また、ＲＦＩＤリーダ／ライタ９には、送受信アンテナ９３で受信した変調波（受信波）を復調するための復調部９１６が備えられている。復調部９１６には、周波数発振部９１７からＲＦＩＤメモリ８で用いられている搬送波と同じ周波数ｆ２の基準位相信号が与えられており、復調部９１６は、送受信アンテナ９３からの変調波と周波数発振部９１７からの基準位相信号とを比較して、受信した変調波に含まれている信号成分を取り出す。こうして取り出された信号成分は、フィルタ９１８で予め定める周波数帯域以外の周波数成分が除去された後、Ａ／Ｄ変換部９１９に与えられてディジタルデータ（受信データ）に変換される。
【００３９】
Ａ／Ｄ変換部９１９によるＡ／Ｄ変換後の受信データは、Ａ／Ｄ変換部９１９から信号処理部９１１に与えられる。信号処理部９１１は、Ａ／Ｄ変換部９１９から受信データが与えられると、情報記憶部９１２から照合コードまたはライト完了コードを読み出して、その読み出した照合コードまたはライト完了コードと受信データとが一致するか否かを判別したり、このＲＦＩＤリーダ／ライタ９の表面に配置されているディスプレイ９４に受信データを表示したりする。
【００４０】
図７は、ＲＦＩＤリーダ／ライタ９を用いてＲＦＩＤメモリ８からメンテナンスデータを読み出す際に行われるデータの送受について説明するための図である。ＲＦＩＤメモリ８に記憶されているメンテナンスデータは、たとえば、台間機２のメンテナンス作業を開始する前にＲＦＩＤメモリ８から読み出される。
台間機２のメンテナンスを行う作業員は、たとえば、ＲＦＩＤリーダ／ライタ９の入力キー９２（図６参照）を操作して、ＲＦＩＤメモリ８に向けてアクセスコードを送信すべき旨の指示を入力する。すると、ＲＦＩＤリーダ／ライタ９の情報記憶部９１２からアクセスコードが読み出されて、このアクセスコードで搬送波を変調して作成された変調波がＲＦＩＤメモリ８に向けて送信される。
【００４１】
ＲＦＩＤリーダ／ライタ９から送信された変調波は、ＲＦＩＤメモリ８に受信されてディジタルデータ（この場合は、アクセスコード）に復調される。これにより、ＲＦＩＤメモリ８によるデータ受信が達成され、この後は、情報記憶部８１６から第１セキュリティコードが読み出されて、この読み出された第１セキュリティコードと受信データの異同が判別される。ＲＦＩＤリーダ／ライタ９から送信されたアクセスコードは、ＲＦＩＤメモリ８の情報記憶部８１６に格納されている第１セキュリティコードと同一のコードであるから、この場合、ＲＦＩＤメモリ８が受信したデータと第１セキュリティコードとは一致する。
【００４２】
受信データと第１セキュリティコードとの一致が確認されると、ＲＦＩＤリーダ／ライタ９からのアクセスであると判断されて、ＲＦＩＤメモリ８の情報記憶部８１６から第２セキュリティコードが読み出され、この第２セキュリティコードで搬送波を変調して作成された変調波がＲＦＩＤリーダ／ライタ９に向けて送信される。
【００４３】
ＲＦＩＤメモリ８から送信された変調波は、ＲＦＩＤリーダ／ライタ９に受信されてディジタルデータ（この場合は、第２セキュリティコード）に復調される。そして、情報記憶部９１２から照合コードが読み出されて、この読み出された照合コードと受信データの異同が判別される。情報記憶部９１２に格納されている照合コードは、ＲＦＩＤメモリ８の情報記憶部８１６に格納されている第２セキュリティコードと同一のコードであるから、この場合、ＲＦＩＤリーダ／ライタ９が受信したデータと照合コードとは一致する。
【００４４】
ＲＦＩＤリーダ／ライタ９がＲＦＩＤメモリ８から受信したデータと照合コードとの一致が確認されると、ＲＦＩＤメモリ８は正規のものであると判定され、ＲＦＩＤメモリ８からメンテナンスデータの読出しが可能であると判断される。そして、その旨の表示（たとえば「ＯＫ」のような文字など）が、ＲＦＩＤリーダ／ライタ９のディスプレイ９４（図６参照）に表示される。
【００４５】
なお、アクセスコードの送信に応答して、ＲＦＩＤメモリ８から第１セキュリティコードに付加されて、第１セキュリティコード以外のデータ（たとえば、ＲＦＩＤメモリ８に固有のＩＤコードなど）が送信される場合には、ＲＦＩＤメモリ８が正規のものであることを表すために、その第１セキュリティコード以外のデータがディスプレイ９４に表示されてもよい。
【００４６】
一方、ＲＦＩＤリーダ／ライタ９以外の装置からＲＦＩＤメモリ８にアクセスがあった場合には、この装置からＲＦＩＤメモリ８が受信したデータとＲＦＩＤメモリ８の情報記憶部８１６に格納されている第１セキュリティコードとが一致しない。このような場合には、たとえば、情報記憶部８１６からエラーを表すデータ（エラーデータ）が読み出されて、このエラーデータで搬送波が変調されることにより作成された変調波が送出される。そして、ＲＦＩＤリーダ／ライタ９以外の装置との交信が強制終了される。これにより、ＲＦＩＤリーダ／ライタ９以外の装置によって、ＲＦＩＤメモリ８からメンテナンスデータが読み出されることを防止できる。
【００４７】
なお、上記エラーデータは必ずしも送信される必要はなく、ＲＦＩＤメモリ８が受信したデータと第１セキュリティコードとが異なる場合などには、ＲＦＩＤメモリからのデータ送信が行われないようにしてもよい。
また、ＲＦＩＤメモリ８の不正交換や記憶内容の書換えが行われて、ＲＦＩＤメモリ８の情報記憶部８１６に第１セキュリティコードと異なるデータが格納されている場合、ＲＦＩＤリーダ／ライタ９から受信したアクセスコードとＲＦＩＤメモリ８の情報記憶部８１６に記憶されているデータとは一致しないので、ＲＦＩＤメモリ８からＲＦＩＤリーダ／ライタ９に向けて第２セキュリティコードが返信されてくることはない。この場合、ＲＦＩＤメモリ８に向けてアクセスコードが送信されてから所定時間が経過した時点で、ＲＦＩＤメモリ８は正規のものでないと判断され、たとえば、ＲＦＩＤリーダ／ライタ９のディスプレイ９４に、ＲＦＩＤメモリ８が正規のものでない旨が表示される。
【００４８】
ＲＦＩＤメモリ８が正規のものであり、ＲＦＩＤメモリ８からメンテナンスデータの読出しが可能であることが確認されると、ＲＦＩＤリーダ／ライタ９の情報記憶部９１２からリードコマンドコードが読み出されて、この読み出されたリードコマンドコードがＲＦＩＤメモリ８に向けて送信される。そして、リードコマンドコードがＲＦＩＤメモリ８に受信されると、これに応答して、ＲＦＩＤメモリ８の情報記憶部８１６からメンテナンスデータが読み出され、この読み出されたメンテナンスデータがＲＦＩＤリーダ／ライタ９に向けて送信される。
【００４９】
ＲＦＩＤリーダ／ライタ９が受信したメンテナンスデータは、ＲＦＩＤリーダ／ライタ９のディスプレイ９４に表示される。また、たとえば、ＲＦＩＤリーダ／ライタ９にプリンタが接続されている場合には、このプリンタによって、ＲＦＩＤリーダ／ライタ９が受信したメンテナンスデータを用紙などに印字出力することもできるようになっている。
【００５０】
図８は、ＲＦＩＤリーダ／ライタ９を用いてＲＦＩＤメモリ８にメンテナンスデータを書き込む際に行われるデータの送受について説明するための図である。ＲＦＩＤメモリ８へのメンテナンスデータの書込みは、たとえば、台間機２のメンテナンス作業が終了した後に行われる。
まず、台間機２のメンテナンスを行った作業員がＲＦＩＤリーダ／ライタ９の入力キー９２（図６参照）を操作して、ＲＦＩＤリーダ／ライタ９からＲＦＩＤメモリ８に向けてアクセスコードを送信する。すると、ＲＦＩＤメモリ８からメンテナンスデータを読み出す場合と同様に、ＲＦＩＤメモリ８が正規のものであれば、ＲＦＩＤメモリ８からＲＦＩＤリーダ／ライタ９に第２セキュリティコードが返信されてくる。
【００５１】
ＲＦＩＤリーダ／ライタ９が第２セキュリティコードを受信し、ＲＦＩＤメモリ８が正規のものであることが確認されると、その旨の表示（たとえば「ＯＫ」のような文字など）が、ＲＦＩＤリーダ／ライタ９のディスプレイ９４（図６参照）に表示される。
その後、このディスプレイ９４の表示を見た作業員は、ＲＦＩＤリーダ／ライタ９の入力キー９２を操作して、たとえば、台間機２の保守点検状況、故障原因、修理内容（修理作業事項）、次期対策事項、処理日時、作業員（担当者）コードなどのメンテナンスデータを入力する。すると、ＲＦＩＤリーダ／ライタ９の情報記憶部９１２からライトコマンドコードが読み出されて、このライトコマンドコードに入力キー９２から入力されたメンテナンスデータが付加されることにより送信データが作成される。そして、この作成された送信データで搬送波を変調して作成された変調波がＲＦＩＤメモリ８に向けて送信される。
【００５２】
ＲＦＩＤリーダ／ライタ９から送信された変調波は、ＲＦＩＤメモリ８に受信されてディジタルデータに復調される。この後、ＲＦＩＤメモリ８の情報記憶部８１６から第３セキュリティコードが読み出されて、この読み出された第３セキュリティコードが受信データ中に含まれているか否かが調べられる。ＲＦＩＤリーダ／ライタ９の情報記憶部９１２に格納されているライトコマンドコードは、ＲＦＩＤメモリ８の情報記憶部８１６に格納されている第３セキュリティコードと同一のコードであるから、この場合、ＲＦＩＤメモリ８が受信したデータ中に第３セキュリティコードが含まれる。
【００５３】
ＲＦＩＤメモリ８が受信したデータ中に第３セキュリティコードが含まれている場合、ＲＦＩＤメモリ８では、情報記憶部８１６に追記すべきメンテナンスデータがＲＦＩＤリーダ／ライタ９から送られてきたと判断される。そして、ＲＦＩＤメモリ８が受信したデータから第３セキュリティコード（ライトコマンドコード）を除く部分が、メンテナンスデータとして情報記憶部９１２に格納される。これにより、メンテナンスデータのＲＦＩＤメモリ８（情報記憶部８１６）への書込みが達成される。
【００５４】
一方、ＲＦＩＤメモリ８が受信したデータ中に第３セキュリティコード（ライトコマンドコード）が含まれない場合には、ＲＦＩＤリーダ／ライタ９に異常があると判断される。このような場合には、たとえば、情報記憶部８１６からエラーを表すデータ（エラーデータ）が読み出されて、このエラーデータで搬送波が変調されることにより作成された変調波が送出される。そして、ＲＦＩＤリーダ／ライタ９以外の装置との交信が強制終了される。これにより、ＲＦＩＤリーダ／ライタ９に異常が発生していることを作業員に認識させることができ、また、異常なデータなどがＲＦＩＤメモリ８に書き込まれることを防止できる。
【００５５】
なお、上記エラーデータは必ずしも送信される必要はなく、ＲＦＩＤメモリ８が受信したデータ中に第３セキュリティコードが含まれない場合には、それ以降、ＲＦＩＤメモリ８からのデータ送信が行われないようにしてもよい。
ＲＦＩＤメモリ８の情報記憶部８１６へのメンテナンスデータの書込みが完了すると、情報記憶部８１６から第４セキュリティコードが読み出される。そして、この読み出された第４セキュリティコードで搬送波を変調して作成された変調波が、ＲＦＩＤメモリ８からＲＦＩＤリーダ／ライタ９に向けて送信される。
【００５６】
ＲＦＩＤメモリ８から送信された変調波は、ＲＦＩＤリーダ／ライタ９に受信されてディジタルデータ（この場合は、第４セキュリティコード）に復調される。そして、情報記憶部９１２からライト完了コードが読み出されて、この読み出されたライト完了コードと受信データの異同が判別される。情報記憶部９１２に格納されているライト完了コードは、ＲＦＩＤメモリ８の情報記憶部８１６に格納されている第４セキュリティコードと同一のコードであるから、この場合、ＲＦＩＤリーダ／ライタ９が受信したデータとライト完了コードとは一致する。
【００５７】
ＲＦＩＤリーダ／ライタ９が受信したデータとライト完了コードとの一致が確認されると、ＲＦＩＤメモリ８へのメンテナンスデータの書込みが完了したと判断され、たとえば、「ＯＫ」のような文字、ＲＦＩＤメモリ８に固有のＩＤコードまたはＲＦＩＤメモリ８に書き込んだメンテナンスデータなどが、ＲＦＩＤリーダ／ライタ９のディスプレイ９４に表示される。
【００５８】
一方、ＲＦＩＤメモリ８に向けてメンテナンスデータが送信されてから所定時間が経過しても、ＲＦＩＤメモリ８からＲＦＩＤリーダ／ライタ９に第４セキュリティコードが返信されてこない場合や、ＲＦＩＤメモリ８から受信したデータとライト完了コードとが一致しない場合には、ＲＦＩＤメモリ８へのメンテナンスデータの書込みが上手く行われなかったと判断されて、その旨の表示やメンテナンスデータの書込みが行われなかった理由などがＲＦＩＤリーダ／ライタ９のディスプレイ９４に出力される。
【００５９】
以上のようにこの実施形態によれば、台間機２の台間機制御基板２１に関連して、台間機２のメンテナンスに関するデータを記憶しておくためのＲＦＩＤメモリ８が設けられている。ＲＦＩＤメモリ８には、台間機２の遊技店への納入時、ならびに台間機２の保守点検時および故障修理時などに、ＲＦＩＤリーダ／ライタ９によってメンテナンスデータが書き込まれる。そして、ＲＦＩＤメモリ８に書き込まれているメンテナンスデータは、次回の保守点検時または故障修理時などのメンテナンス時に、ＲＦＩＤリーダ／ライタ９を用いて読み出される。これにより、システム管理会社から派遣された作業員は、台間機２のメンテナンス履歴を速やかに取得することができ、その取得したメンテナンス履歴に応じた適切な処置を台間機２に施すことができる。
【００６０】
また、ＲＦＩＤメモリ８は、専用のＲＦＩＤリーダ／ライタ９との間で無線によるデータの送受信を行うことができ、ＲＦＩＤメモリ８とＲＦＩＤリーダ／ライタ９との間でセキュリティコードを交信して、ＲＦＩＤメモリ８が正規のものであると判別された場合にのみ、ＲＦＩＤリーダ／ライタ９によりメンテナンスデータの読出しおよび書込みを行うことができるようになっている。したがって、ＲＦＩＤメモリ８とＲＦＩＤリーダ／ライタ９との間でデータ交信を行うことによって、台間機制御基板２１が正規のものであるか否かを判別でき、台間機制御基板２１の不正改造・交換を確実に発見することができる。
【００６１】
さらに、ＲＦＩＤメモリ８とＲＦＩＤリーダ／ライタ９との間におけるデータ通信は無線方式により行われるので、メンテナンスデータの読出しや書込みのために、基板ケース２８（図２参照）内からＲＦＩＤメモリ８を取り出す必要がない。ゆえに、ＲＦＩＤメモリ８に対するメンテナンスデータの読出しおよび書込みに手間がかかるといったことはない。
【００６２】
以上、この発明の実施形態について説明したが、この発明は、他の形態で実施することも可能である。
【００６３】
たとえば、上述の実施形態では、ＲＦＩＤメモリ８の情報記憶部８１６が、たとえばフラッシュメモリで構成されるとしたが、ＥＥＰＲＯＭなどのデータ書換および追記可能なメモリが採用されてもよい。また、ＷＯＲＭ(Write-Once/Read-Many)が採用されてもよい。さらには、書換不能型のメモリと書換・追記可能型のメモリとが組み合わされて情報記憶部８１６が構成されてもよい。
【００６４】
さらに、ＲＦＩＤメモリ８に記憶されているメンテナンスデータの読出しは、ＲＦＩＤリーダ／ライタ９に限らず、読出専用のＲＦＩＤリーダにより行われてもよい。この場合、読出専用のＲＦＩＤリーダを遊技店の店員などが所有していれば、台間機２などの遊技関連機器に異常が生じた場合などに、その遊技関連機器のメンテナンス履歴を確認することができる。
【００６５】
その他、特許請求の範囲に記載された事項の範囲内で種々の設計変更を施すことが可能である。
【図面の簡単な説明】
【図１】この発明の一実施形態に係るカード式遊技システムの構成を示すブロック図である。
【図２】遊技機およびこれに対応づけられた台間機の制御回路の構成を示すブロック図である。
【図３】ＲＦＩＤメモリの台間機制御基板への取付状態を示す断面図である。
【図４】ＲＦＩＤメモリの平面図である。
【図５】ＲＦＩＤメモリの電気的な構成を示すブロック図である。
【図６】ＲＦＩＤリーダ／ライタの電気的な構成を示すブロック図である。
【図７】ＲＦＩＤリーダ／ライタを用いてＲＦＩＤメモリからメンテナンスデータを読み出す際に行われるデータの送受について説明するための図である。
【図８】ＲＦＩＤリーダ／ライタを用いてＲＦＩＤメモリにメンテナンスデータを書き込む際に行われるデータの送受について説明するための図である。
【符号の説明】
１      遊技機
２      台間機
３      カード販売機
４      カード精算機
８      ＲＦＩＤメモリ（データ記憶装置）
８１    チップ
８１１  復調部（無線データ通信手段）
８１２  周波数発振部（無線データ通信手段）
８１３  フィルタ（無線データ通信手段）
８１４  変換部（無線データ通信手段）
８１５  信号処理部（無線データ通信手段、第１照合手段、第２照合手段、第３照合手段）
８１６  情報記憶部（メンテナンスデータ記憶部）
８１７  変調部（無線データ通信手段）
８１８  周波数発振部（無線データ通信手段）
８１９  送信部（無線データ通信手段）
８２    送受信アンテナ（無線データ通信手段）
９      ＲＦＩＤリーダ／ライタ（データ読出／書込装置）
９１１  信号処理部（第２照合手段）
９１２  情報記憶部（コード記憶部）
【図１】
0004402783.tif 000002
【図２】
0004402783.tif 000003
【図３】
0004402783.tif 000004
【図４】
0004402783.tif 000005
【図５】
0004402783.tif 000006
【図６】
0004402783.tif 000007
【図７】
0004402783.tif 000008
【図８】
0004402783.tif 000009